(57)【要約】【課題】高コスト化を招くことなく、安定した光走査を行う。【解決手段】光源、カップリングレンズ、線像形成レンズ４、ポリゴンミラー、及び走査光学系を備え、線像形成レンズ４の射出面は、波長偏差が大きい方向に延びる直線状の溝が形成された回折面である。これにより、ビームウエスト位置に対する波長偏差の影響を低減するような回折の効果を、走査光に選択的に付与することができ、主走査方向及び副走査方向のいずれに関しても、ビームウエスト位置のずれ量を小さくすることができる。その結果、高コスト化を招くことなく、安定した光走査が可能となる。【選択図】図５
2008262053.tif 000002
【特許請求の範囲】
【請求項１】
光源から射出され偏向器前光学系を介して偏向器で偏向された光束によって被走査面上を走査する光走査装置において、
前記光源は、複数の発光部が２次元的に配列された面発光レーザアレイを有し、
前記偏向器前光学系は、入射する複数の光束における波長の偏差が大きい方向に延びる直線状の溝が形成された少なくとも１つの回折面を有することを特徴とする光走査装置。
【請求項２】
前記偏向器前光学系を含む全ての光学系における光学面の環境変動によるパワー変化と、前記光源の発振波長の環境変動による変化とによって、前記被走査面上でのビームウエスト位置の環境変化による変化が補正されることを特徴とする請求項１に記載の光走査装置。
【請求項３】
前記回折面は、回折効果を有する第１の面と屈折効果を有する第２の面とが合成された面であり、前記第１の面のパワーと前記第２の面のパワーは互いに相殺されていることを特徴とする請求項１又は２に記載の光走査装置。
【請求項４】
前記偏向器前光学系は、前記光源から射出された光束をカップリングする第１光学系と、該第１の光学系を介した光束を前記偏向器の近傍で集光する第２光学系とを有し、
前記第２光学系が、前記回折面を有することを特徴とする請求項１〜３のいずれか一項に記載の光走査装置。
【請求項５】
前記第２光学系は屈折面を有し、該屈折面の形状は凹面形状であることを特徴とする請求項４に記載の光走査装置。
【請求項６】
前記偏向器前光学系における前記回折面を有する光学素子は、
前記偏向器側の面が前記回折面であり、前記光源側の面が屈折面であることを特徴とする請求項１〜４のいずれか一項に記載の光走査装置。
【請求項７】
前記複数の発光部は、第１の方向に関して両端に位置する２つの発光部の間隔よりも、前記第１の方向に直交する第２の方向に関して両端に位置する２つの発光部の間隔のほうが小さく、前記回折面における溝の方向は、前記第１の方向に略平行であることを特徴とする請求項１〜６のいずれか一項に記載の光走査装置。
【請求項８】
前記第１の方向は、主走査方向に対応する方向であることを特徴とする請求項７に記載の光走査装置。
【請求項９】
前記第１の方向は、副走査方向に対応する方向であることを特徴とする請求項７に記載の光走査装置。
【請求項１０】
少なくとも１つの像担持体と；
前記少なくとも１つの像担持体に対して画像情報が含まれる光束を走査する少なくとも１つの請求項１〜９のいずれか一項に記載の光走査装置と；を備える画像形成装置。
【請求項１１】
前記画像情報は、カラー画像情報であることを特徴とする請求項１０に記載の画像形成装置。
【発明の詳細な説明】
【技術分野】
【０００１】
本発明は、光走査装置及び画像形成装置に係り、更に詳しくは、光束により被走査面を走査する光走査装置及び該光走査装置を備える画像形成装置に関する。
【背景技術】
【０００２】
近年、光プリンタ装置、デジタル複写機、及び光プロッタ等の画像形成装置には、低価格化とともに、温度変化などに対する高安定化、高精細化（高画質化）及び高速化が求められている。また、これらの画像形成装置は、光源からの光束により被走査面上を走査する光走査装置を備えている。
【０００３】
画像形成装置の高精細化及び高速化については、複数の光束を用いる方法が実施されている。光束の複数化には主として、（１）複数の端面発光型半導体レーザ素子を組み合わせる方法、（２）複数の発光部が１つの基板上に形成された端面発光型半導体レーザアレイを用いる方法がある。しかしながら、（１）の方法では、素子が複数個搭載されるために、光源装置が複雑になる、部品点数が増加する、調整が複雑になるといった不都合があった。また、（２）の方法では、複数の発光部間に波長のばらつきがあり、個別に調整できないという不都合があった。
【０００４】
ところで、最近、面発光型半導体レーザ素子（Ｖｅｒｔｉｃａｌ  Ｃａｖｉｔｙ  Ｓｕｒｆａｃｅ  Ｅｍｉｔｔｉｎｇ  Ｌａｓｅｒ、ＶＣＳＥＬ）を用いた光源が提案されている。この光源は、１つの基板上に数１０個の発光部を２次元的に形成することが容易である。また、各発光部では単一縦モード発振による安定したレーザ発振による発光が行われるため、各発光部間の波長のばらつきは極めて小さい。なお、以下では、１つの基板上に複数の発光部が形成されている面発光型半導体レーザ素子を、便宜上「ＶＣＳＥＬアレイ」ともいう。
【０００５】
画像形成装置の低価格化の代表的な方法として、光走査装置に用いられる光学素子の樹脂化がある。例えば、各種レンズの素材を樹脂材料にすると、（１）軽量化が可能、（２）低コストな成形が可能、（３）特殊な形状の光学面（以下では、便宜上、「特殊面」ともいう）の形成が容易、というメリットがある。特に、特殊面を有する樹脂製レンズを採用すると、レンズの光学特性を向上させることができる。このような特殊面の１つとして、屈折面の形状を適切なピッチで折り返した形状を有する回折面がある。この回折面は、レンズに屈折面以上のパワーを付加することができるため、光走査装置の光学系を構成するレンズ枚数を低減させることが可能となる。
【０００６】
また、温度変化に対して高安定な画像形成装置を実現するために、光走査装置において、（Ａ）互いに逆のパワーをもつ複数枚のレンズを組み合わせて、温度変化による光学特性の劣化を補正する方法や、（Ｂ）回折面の負分散を用いて、温度変化による光学特性の劣化を補正する方法（例えば、特許文献２〜特許文献５参照）などが提案されている。特に、回折面を用いる方式は、樹脂材料の成形技術の高度化に伴い、少ない部品点数で、低価格で、温度変化に対して高安定な光走査装置を実現するのに有効な方式である。
【０００７】
例えば、特許文献１には、光源からの光束をカップリングする第１光学系と、この第１光学系からの光束を、主走査方向に長く略線状に集光する第２光学系と、上記略線状の集光部の近傍に偏向反射面を有し、該偏向反射面により光束を偏向する光偏向器により偏向される偏向光束を、被走査面に向けて集光し、上記被走査面上に光走査のための光スポットを形成する第３光学系とを有し、上記第３光学系は、１枚以上の樹脂製結像素子を有し、上記第２光学系は、１枚以上の樹脂製の結像素子と、１枚以上のガラス製の結像素子を有し、第２光学系の少なくとも１面は、主走査方向と副走査方向とで独立に形状を設定されたアナモフィック面で、且つ、副走査断面内において非円弧形状をなす副非円弧面であり、少なくとも１面の副非円弧面が、第２光学系の結像素子のうち、第１光学系側からの光束が副走査方向に最大の光束径をもって通過する結像素子に形成されていることを特徴とする走査結像光学系が開示されている。この走査結像光学系では、回折面を用いずに、偏向器前の光学系に少なくとも３枚のレンズを組み合わせて温度によるピント位置変動を補正している。
【０００８】
また、特許文献２には、半導体レーザーを含む光源手段と、屈折部と回折部とを含む光学素子と、を有する走査光学装置を複数設け、各走査光学装置から出射された複数の光束を単一の像担持体面上の異なる領域に各々導光し、該複数の光束で該像担持体面上を走査してカラー画像を形成するカラー画像形成装置であって、該複数の走査光学装置は各々該走査光学装置の環境変動による該像担持体面上での主走査方向の収差変化が、該光学素子の屈折部と回折部とのパワー変化と、該半導体レーザーの波長変動により補正されるようにしていることを特徴とするカラー画像形成装置が開示されている。
【０００９】
また、特許文献３には、半導体レーザーよりなる光源手段から放射した光束を回折部を有するアナモフィック光学素子を介して偏向素子の偏向面に導光させ、該偏向素子で偏向された光束を屈折部を有する走査光学素子を介し被走査面上に結像させて、該被走査面上を走査する走査光学装置であって、走査光学装置の屈折部の温度変動に伴う主走査方向のピント変化が該温度変動による光源手段の波長変動による回折部のパワー変化で補正されていることを特徴とする走査光学装置が開示されている。
【００１０】
また、特許文献４には、光源手段と、該光源手段からの光束を光偏向手段に導光する光学手段と、該光偏向手段からの光束を被走査面に導光する結像光学系と、を有し、該光偏向手段の回動動作に基いて該被走査面を光走査する光走査装置において、該光学手段は１以上の面に回折部を有し、所定の条件を満足することを特徴とする光走査装置
【００１１】
また、特許文献５には、半導体レーザから出射されたレーザ光束を偏向器によって偏向し、屈折素子と回折素子によって光束を像担持体上に走査し画像を形成する走査光学装置において、該走査光学装置の環境変動による像担持体面上での主走査方向の結像位置変化が、該走査光学装置内の屈折素子と回折素子とのパワー変化と、半導体レーザの波長変動により補正され、且つ、光束の光源として面発光半導体レーザを用いることを特徴とする走査光学装置が開示されている。
【００１２】
【特許文献１】特許第３４８３１４１号公報
【特許文献２】特開平１１−２２３７８３号公報
【特許文献３】特開２００３−３３７２９５号公報
【特許文献４】特開２００４−１２６１９２号公報
【特許文献５】特開２００５−２１５１８８号公報
【発明の開示】
【発明が解決しようとする課題】
【００１３】
しかしながら、上記特許文献１〜特許文献５のように環境変動が考慮されていても、長時間使用すると、画像品質が低下することがあった。
【００１４】
本発明は、かかる事情の下になされたもので、その第１の目的は、高コスト化を招くことなく、安定した光走査ができる光走査装置を提供することにある。
【００１５】
また、本発明の第２の目的は、高コスト化を招くことなく、高品質の画像を安定して形成することができる画像形成装置を提供することにある。
【課題を解決するための手段】
【００１６】
本発明は、第１の観点からすると、光源から射出され偏向器前光学系を介して偏向器で偏向された光束によって被走査面上を走査する光走査装置において、前記光源は、複数の発光部が２次元的に配列された面発光レーザアレイを有し、前記偏向器前光学系は、入射する複数の光束における波長の偏差が大きい方向に延びる直線状の溝が形成された少なくとも１つの回折面を有することを特徴とする光走査装置である。
【００１７】
これによれば、偏向器前光学系は少なくとも１つの回折面を有し、該回折面には、入射する複数の光束における波長の偏差が大きい方向に延びる直線状の溝が形成されている。この場合に、長時間の使用により、面発光レーザアレイ内に不均一な温度分布を生じ、回折面に入射する複数の光束の波長にばらつきがあっても、回折面によって波長のばらつきの影響を低減することができる。従って、結果として、高コスト化を招くことなく、安定した光走査が可能となる。
【００１８】
本発明は、第２の観点からすると、少なくとも１つの像担持体と；前記少なくとも１つの像担持体に対して画像情報が含まれる光束を走査する少なくとも１つの本発明の光走査装置と；を備える画像形成装置である。
【００１９】
これによれば、少なくとも１つの本発明の光走査装置を備えているために、結果として、高コスト化を招くことなく、高品質の画像を安定して形成することが可能となる。
【発明を実施するための最良の形態】
【００２０】
以下、本発明の一実施形態を図１〜図１０に基づいて説明する。図１には、本発明の一実施形態に係る画像形成装置としてのレーザプリンタ５００の概略構成が示されている。
【００２１】
このレーザプリンタ５００は、感光体ドラム５１１、帯電ローラ５１２、現像装置５１３、転写ローラ５１４、クリーニング装置５１５、定着装置５１６、光走査装置９００、カセット５１８、レジストローラ対５１９、給紙コロ５２０、排紙ローラ対５２２、及びトレイ５２３などを備えている。
【００２２】
感光体ドラム５１１は、像担持体であり、その表面には光導電性を有する感光層が形成されている。すなわち、感光体ドラム５１１の表面が被走査面である。
【００２３】
帯電ローラ５１２、現像装置５１３、転写ローラ５１４及びクリーニング装置５１５は、それぞれ感光体ドラム５１１の表面近傍に配置されている。そして、感光体ドラム５１１の回転方向（図１における矢印方向）に沿って、帯電ローラ５１２→現像装置５１３→転写ローラ５１４→クリーニング装置５１５の順に配置されている。
【００２４】
帯電ローラ５１２は、感光体ドラム５１１の表面を均一に帯電させる帯電手段である。帯電手段としては「コロナチャージャ」を用いることもできる。
【００２５】
光走査装置９００は、帯電ローラ５１２で帯電された感光体ドラム５１１の表面を、上位装置（例えばパソコン）からの画像情報に基づいて変調された光ＬＢで走査する。この光走査装置９００による光走査により、感光体ドラム５１１の表面では、光が照射された部分だけ電荷が消失し、画像情報に対応した潜像（静電潜像）が形成される。この潜像は、いわゆるネガ潜像であり、感光体ドラム５１１の回転に伴って現像装置５１３の方向に移動する。なお、光走査装置９００の構成については後述する。
【００２６】
現像装置５１３は、トナーが格納されているトナーカートリッジを有しており、感光体ドラム５１１の表面における光が照射された部分にだけトナーを付着させる。すなわち、現像装置５１３は、感光体ドラム５１１の表面に形成された潜像にトナーを付着させて画像情報を顕像化させる。ここでトナーが付着された潜像（以下、便宜上「トナー画像」ともいう）は、感光体ドラム５１１の回転に伴って転写ローラ５１４の方向に移動する。
【００２７】
カセット５１８は、レーザプリンタ５００の本体に着脱可能であり、その中には転写対象物としての転写紙Ｐが収納されている。このカセット５１８の近傍には給紙コロ５２０が配置されており、該給紙コロ５２０は、カセット５１８に収納されている転写紙Ｐの最上位の１枚を取り出す。
【００２８】
レジストローラ対５１９は、転写ローラ５１４の近傍に配置され、給紙コロ５２０により取り出された転写紙の先端部を捕捉する。そして、レジストローラ対５１９は、感光体ドラム５１１上のトナー画像が転写位置へ移動するタイミングに合わせて、転写紙を転写ローラ５１４と感光体ドラム５１１との間隙へ送り込む。送り込まれた転写紙は、転写ローラ５１４によりトナー画像と重ね合わされ、トナー画像が静電転写される。
【００２９】
トナー画像が転写された転写紙は、定着装置５１６へ送られ、定着装置５１６にてトナー画像が定着され、搬送路５２１を通り、排紙ローラ対５２２によりトレイ５２３上に排出される。
【００３０】
トナー画像が転写された後の感光体ドラム５１１の表面は、クリーニング装置５１５によりクリーニングされ、残留トナーや紙粉等が除去される。
【００３１】
次に、前記光走査装置９００の構成について説明する。
【００３２】
この光走査装置９００は、図２に示されるように、光源１、カップリングレンズ２、開口板３、線像形成レンズ４、ポリゴンミラー５、２つの走査レンズ（６ａ、６ｂ）、折り曲げミラー７、同期ミラー９、同期レンズ１０、及び同期検知センサ１１などを備えている。
【００３３】
光源１は、一例として図３に示されるように、４０個の発光部が１つの基板上に形成されたＶＣＳＥＬアレイ１００を有している。
【００３４】
このＶＣＳＥＬアレイ１００は、主走査方向に対応する方向（以下では、便宜上「Ｍ方向」ともいう）から副走査方向に対応する方向（以下では、便宜上「Ｓ方向」ともいう）に向かって傾斜角αをなす方向（以下では、便宜上「Ｔ方向」という）に沿って１０個の発光部が等間隔に配置された発光部列を４列有している。そして、これら４列の発光部列は、Ｓ方向に等間隔に配置されている。すなわち、４０個の発光部は、Ｔ方向とＳ方向とに沿って２次元的に配列されている。なお、本明細書では、「発光部間隔」とは２つの発光部の中心間距離をいうものとする。また、Ｍ方向及びＳ方向のいずれにも直交し、光源１からポリゴンミラー５に向かう光束の進行方向を、以下では、便宜上「Ｗ方向」とする。
【００３５】
ここでは、一例として、発光部列における、Ｔ方向に関する発光部の間隔ｄ１は２４．０μｍ、Ｓ方向に関する発光部列の間隔ｄｓ２は２４．０μｍであり、傾斜角αは５．７４°である。そこで、４０個の発光部をＳ方向に延びる仮想線上に正射影したときの発光部の間隔は等間隔となり、その値ｄｓ１は２．４μｍである。そして、Ｍ方向に関する発光部の間隔ｄｍは２３．９μｍである。
【００３６】
また、Ｍ方向に関して両端に位置する２つの発光部の間隔は２３．９×９＝２１５．１μｍ、Ｓ方向に関して両端に位置する２つの発光部の間隔は２．４×３９＝９３．６μｍである。すなわち、複数の発光部は、Ｍ方向に関して両端に位置する２つの発光部の間隔よりも、Ｓ方向に関して両端に位置する２つの発光部の間隔のほうが小さい。
【００３７】
各発光部は、一例として、設計上の発振波長が７８０ｎｍであり、基準温度（２５℃）に対して温度が１℃上昇すると、発振波長が０．０６２ｎｍだけ長波長側へずれるという特性を有している。
【００３８】
ところで、一般に、ＶＣＳＥＬアレイを長時間発光させ続けると、環境温度が一定であってもＶＣＳＥＬアレイ内に不均一な温度分布を生じる。そして、各発光部から射出される光束の波長にばらつきが生じる。本明細書では、各発光部から射出される光束の波長のばらつきの程度を「波長偏差」という。ここでは、一例として、長時間使用したときのＶＣＳＥＬアレイ１００における、Ｍ方向に関する波長偏差は４ｎｍ、Ｓ方向に関する波長偏差は１ｎｍであった。
【００３９】
カップリングレンズ２は、焦点距離が約４５ｍｍであり、光源１から射出された光束を略平行光とする。
【００４０】
カップリングレンズ２は、一例として、主走査方向に対応する方向の近軸曲率半径が９８．９７ｍｍ、副走査方向に対応する方向の近軸曲率半径が９８．９７ｍｍの入射面と、主走査方向に対応する方向の近軸曲率半径が−３１．０７ｍｍ、副走査方向に対応する方向の近軸曲率半径が−３１．０７ｍｍの射出面を有するガラス製のレンズである。このガラスは、一例として、７８０ｎｍの光に対する基準温度での屈折率が１．５１１９１３であり、温度が基準温度から２０℃上昇したときの屈折率が１．５１１９３４であり、線膨張係数が７．５×１０−６／Ｋの物性を有するガラスである。
【００４１】
カップリングレンズ２は、入射面及び射出面のいずれも非球面であり、カップリングされた光束の波面収差を十分に補正している。
【００４２】
なお、光源１とカップリングレンズ２は、線膨張係数が２．３×１０−５／Ｋの材料を用いた保持部材（図示省略）によって保持されている。
【００４３】
開口板３は、一例として主走査方向に対応する方向の幅が６．４ｍｍ、副走査方向に対応する方向の幅が１．１８ｍｍの長方形状の開口部を有し、カップリングレンズ２を介した光束を整形し、感光体ドラム５１１上におけるビームスポット径を決定する。
【００４４】
なお、本明細書では、「ビームスポット径」は、ビームスポットの光強度分布におけるラインスプレッド関数を用いて定義される。ビームスポットの中心を基準とし、主走査方向に対応する方向の座標Ｙ、副走査方向に対応する方向の座標Ｚにおけるビームスポットの光強度分布をｆ（Ｙ、Ｚ）とすると、副走査方向に対応する方向のラインスプレッド関数ＬＳＺ（Ｚ）は、次の（１）式で示される。なお、積分は主走査方向に対応する方向におけるビームスポットの全幅について行われる。
【００４５】
【数１】
2008262053.tif 000003
【００４６】
また、主走査方向に対応する方向のラインスプレッド関数ＬＳＹ（Ｙ）は、次の（２）式で示される。なお、積分は副走査方向に対応する方向におけるビームスポットの全幅について行われる。
【００４７】
【数２】
2008262053.tif 000004
【００４８】
ラインスプレッド関数ＬＳＺ（Ｚ）及びラインスプレッド関数ＬＳＹ（Ｙ）は、通常、略ガウス分布型の形状であり、主走査方向に対応する方向及び副走査方向に対応する方向のビームスポット径は、これらのラインスプレッド関数が、その最大値の１／ｅ２以上となる領域の主走査方向に対応する方向及び副走査方向に対応する方向の幅で与えられる。
【００４９】
ラインスプレッド関数により上記の如く定義されるビームスポット径は、ビームスポットをスリットで等速光走査し、スリットを通った光を光検出器で受光し、その受光量を積分することにより容易に測定可能であり、このような測定を行う装置も市販されている。
【００５０】
線像形成レンズ４は、開口板３の開口部を通過した光束をポリゴンミラー５の偏向反射面近傍に副走査方向に関して結像する。
【００５１】
線像形成レンズ４は、樹脂製のレンズである。この樹脂は、一例として、７８０ｎｍの光に対する基準温度での屈折率が１．５２３９６１であり、温度が基準温度から２０℃上昇したときの屈折率が１．５２２１８８であり、線膨張係数が７．０×１０−５／Ｋの物性を有する樹脂である。
【００５２】
線像形成レンズ４の入射面は、一例として図４に示されるように、主走査方向に対応する方向の近軸曲率半径が∞、副走査方向に対応する方向の近軸曲率半径が１１８．５ｍｍのシリンドリカル面である。すなわち、線像形成レンズ４の入射面は屈折面である。
【００５３】
線像形成レンズ４の射出面は、一例として図５に示されるように、主走査方向に対応する方向に略平行な直線状の溝が形成された、いわゆる回折面である。すなわち、波長偏差が大きい方向に延びる直線状の溝が形成されている。
【００５４】
この回折面の位相関数φ（Ｙ，Ｚ）は、次の（３）式で示される。
【００５５】
φ（Ｙ，Ｚ）＝Ｃ１・Ｙ２＋Ｃ２・Ｚ２  ……（３）
【００５６】
ここでは、Ｃ１＝０、Ｃ２＝−０．０１４０８４９７３、である。
【００５７】
回折面は、回折効果を有する面（以下、便宜上「第１の面」ともいう）と屈折効果を有する面（以下、便宜上「第２の面」ともいう）とが合成された面形状を有している。
【００５８】
一例として図６に示されるように、第１の面の形状１３は、屈折効果を有する面の形状１２を適切な段差及びピッチで折り返した形状である。従って、第１の面はパワーを有する。
【００５９】
第２の面の形状は、第１の面のパワーを相殺するような形状である。すなわち、線像形成レンズ４の回折面は、主走査方向に対応する方向及び副走査方向に対応する方向ともにノンパワーとなる。
【００６０】
ここでは、一例として、第１の面の形状は、副走査に対応する方向の近軸曲率半径が１８．６ｍｍのシリンドリカル面の形状を適切な段差及びピッチで折り返した形状であり、第２の面の形状は、副走査に対応する方向の近軸曲率半径が−１８．６ｍｍのシリンドリカル面の形状としている。
【００６１】
これにより、回折面における複数の回折溝はマルチステップ状になる。
【００６２】
ところで、回折面を、屈折面の面形状を適切な段差及びピッチで折り返した形状とすると、レンズの周辺部に向かってピッチが徐々に小さくなるため、回折面を成形するための金型の製作が難しい。しかしながら、互いに反対のパワーを有する第１の面と第２の面とを合成して回折面を作成すると、回折面における折返し部分が鈍角となり、金型製作に有利となる。特に、本実施形態のように、回折面の面形状をマルチステップ状にすると、一例として図７に示されるように、折返し部分の角度が直角となり、光軸に対称な階段状の形状となり、金型製作上の簡便性が更に向上する。
【００６３】
光源１とポリゴンミラー５との間の光路上に配置される光学系は、偏向器前光学系とも呼ばれている。本実施形態では、偏向器前光学系は、カップリングレンズ２と開口板３と線像形成レンズ４とから構成されている。
【００６４】
図２に戻り、ポリゴンミラー５は、一例として内接円の半径が７ｍｍの４面鏡を有し、各鏡がそれぞれ偏向反射面である。なお、このポリゴンミラー５は、厚さ１．９ｍｍの防音ガラス（不図示）で囲まれている。この防音ガラスの素材のガラスは、カップリングレンズ２の素材のガラスと同じである。
【００６５】
走査レンズ６ａは、主走査方向の近軸曲率半径が−１１０．１４２ｍｍ、副走査方向の近軸曲率半径が−４７２．７８８ｍｍの入射面と、主走査方向の近軸曲率半径が−５７．９３９ｍｍ、副走査方向の近軸曲率半径が−５００ｍｍの射出面を有している。
【００６６】
走査レンズ６ｂは、主走査方向の近軸曲率半径が−５０００ｍｍ、副走査方向の近軸曲率半径が９３．８ｍｍの入射面と、主走査方向の近軸曲率半径が７２４．１６ｍｍ、副走査方向の近軸曲率半径が−６０．７１ｍｍの射出面を有している。
【００６７】
走査レンズ６ａ及び走査レンズ６ｂは、いずれも樹脂製のレンズである。この樹脂は線像形成レンズ４の素材と同じ物性を有する樹脂である。
【００６８】
また、走査レンズ６ａ及び走査レンズ６ｂの各面は非球面形状の面であり、いずれの面も、主走査方向に次の（４）式で示される非円弧形状を有し、光軸及び副走査方向を含む仮想的な平面に平行な断面（以下、「副走査断面」という）の曲率が次の（５）式に従って主走査方向に変化する面である。
【００６９】
【数３】
2008262053.tif 000005
【００７０】
【数４】
2008262053.tif 000006
【００７１】
ここで、Ｘは光軸方向のデプス、Ｒｍは主走査方向の近軸曲率半径、Ｙは光軸からの主走査方向の距離、Ｋは円錐定数、Ａ１、Ａ２、Ａ３、Ａ４、Ａ５、…は係数、Ｒｓ０はＹ＝０での副走査方向の近軸曲率半径、Ｂ１、Ｂ２、Ｂ３、…は係数である。
【００７２】
走査レンズ６ａの入射面の円錐定数及び各係数が表１に示されている。
【００７３】
【表１】
2008262053.tif 000007
【００７４】
走査レンズ６ａの射出面の円錐定数及び係数が表２に示されている。
【００７５】
【表２】
2008262053.tif 000008
【００７６】
走査レンズ６ｂの入射面の円錐定数及び各係数が表３に示されている。
【００７７】
【表３】
2008262053.tif 000009
【００７８】
走査レンズ６ｂの射出面の円錐定数及び係数が表４に示されている。
【００７９】
【表４】
2008262053.tif 000010
【００８０】
折り曲げミラー７は、走査レンズ６ｂを介した光束の光路を感光体ドラム５１１の表面に向けて折り曲げる。これにより、感光体ドラム５１１の表面にビームスポットが形成される。このビームスポットは、ポリゴンミラー５の回転に伴って感光体ドラム５１１の長手方向に移動する。すなわち、感光体ドラム５１１上を走査する。このときのビームスポットの移動方向が主走査方向である。
【００８１】
ポリゴンミラー５と感光体ドラム５１１との間の光路上に配置される光学系は、走査光学系とも呼ばれている。本実施形態では、走査光学系は、走査レンズ６ａと走査レンズ６ｂと折り曲げミラー７とから構成されている。なお、折り曲げミラー７と感光体ドラム５１１の間には、厚さ１．９ｍｍの防塵ガラス（不図示）が配置されている。この防塵ガラスは、前記防音ガラスと同じ物性を有するガラスでできている。
【００８２】
ところで、上記各光学素子の位置関係が図８に示されている。そして、図８における符号ｄ１〜ｄ１１の具体的な値（単位ｍｍ）の一例が表５に示されている。
【００８３】
【表５】
2008262053.tif 000011
【００８４】
また、前記Ｔ方向と、ポリゴンミラー５の偏向反射面により感光体ドラム５１１の表面における像高０の位置（図８における符号ｐ０の位置）へ向けて反射される光束の進行方向とのなす角（図８におけるθ）は５９度である。
【００８５】
図２に戻り、ポリゴンミラー５で偏向され、有効走査領域外に向かう光束の一部は、同期ミラー９及び同期レンズ１０を介して同期検知センサ１１で受光される。同期検知センサ１１は、受光量に応じた信号（光電変換信号）を出力する。この同期検知センサ１１の出力信号に基づいて、走査開始のタイミングが決定される。
【００８６】
本実施形態に係るレーザプリンタ５００では、長時間使用したときの、主走査方向に関するビームウエスト位置のずれ量は、０．４０７ｍｍであり、副走査方向に関するビームウエスト位置のずれ量は、０．３４３ｍｍであった。
【００８７】
また、波長偏差が小さく、環境温度が基準温度に対して＋２０℃のときは、主走査方向に関するビームウエスト位置のずれ量は、０．１５２ｍｍであり、副走査方向に関するビームウエスト位置のずれ量は、０．０３８ｍｍであった。
【００８８】
ところで、前記線像形成レンズ４に代えて、円形状あるいは楕円形状の溝が形成された回折面を有する線像形成レンズを用いると、長時間使用したときの、主走査方向に関するビームウエスト位置のずれ量は、−１．０７５ｍｍであった。一方、波長偏差が小さく、環境温度が基準温度に対して＋２０℃のときは、主走査方向に関するビームウエスト位置のずれ量は、−０．００７ｍｍであった。
【００８９】
このように、主走査方向に関しては、線像形成レンズ４を用いることにより、環境温度によるビームウエスト位置のずれ量を低く抑えつつ、波長偏差に起因するビームウエスト位置のずれ量を大幅に低下させることができる。
【００９０】
また、前記線像形成レンズ４に代えて、回折面を有しない線像形成レンズを用いると、長時間使用したときの、副走査方向に関するビームウエスト位置のずれ量は、０．１３９ｍｍであった。この場合に、波長偏差が小さく、環境温度が基準温度に対して＋２０℃のときは、副走査方向に関するビームウエスト位置のずれ量は、１．４１４ｍｍであった。
【００９１】
このように、副走査方向に関しては、線像形成レンズ４を用いることにより、波長偏差に起因するビームウエスト位置のずれ量を許容できる所定の範囲内に抑えつつ、環境温度によるビームウエスト位置のずれ量を低下させることができる。すなわち、光学系に温度変化を吸収する光学的特性を付与することができ、光学系のロバスト性が向上する。
【００９２】
このように、線像形成レンズ４を用いることにより、環境温度によるビームウエスト位置のずれ量、及び波長偏差に起因するビームウエスト位置のずれ量を、いずれも許容できる所定の範囲内に抑えることができる。
【００９３】
以上説明したように、本実施形態に係る光走査装置９００によると、光源１、カップリングレンズ２、線像形成レンズ４、ポリゴンミラー５、及び走査光学系を備え、線像形成レンズ４の射出面は、波長偏差が大きい方向に延びる直線状の溝が形成された回折面である。これにより、ビームウエスト位置に対する環境温度の影響及び波長偏差の影響をいずれも低減するような回折の効果を、選択的に付与することができ、主走査方向及び副走査方向のいずれに関しても、ビームウエスト位置のずれ量を小さくすることができる。従って、結果として、高コスト化を招くことなく、安定した光走査が可能となる。
【００９４】
ところで、回折面が樹脂で成形される場合には、回折面の形状と凹凸が逆の形状（以下、便宜上「転写形状」という）が切削により形成された成形用の金型（あるいは金駒）が用いられる。本実施形態によると、線像形成レンズ４の回折面では、第１の面のパワーと第２の面のパワーとが互いに相殺されている。これにより、回折面の折返し部分が鈍角となり、回折面を成形するための金型（あるいは金駒）の製作が容易となる。
【００９５】
また、本実施形態によると、線像形成レンズ４の回折面の形状が直線の溝形状であるため、一例として図９に示されるように、切削用のバイトを一方向に走らせるだけで金型（あるいは金駒）に転写形状を形成することができ、また、バイトを逃がすのに何の問題も生じない。仮に主走査方向に対応する方向及び副走査方向に対応する方向の両方に回折の効果を持たせようとした場合、倍率の違いを考慮すると必然的に光軸を中心とした楕円形状の溝となるが、軸を出す手間が生じる上に、バイトの逃げにも工夫が必要になり、高い加工精度は望みにくい（図１０参照）。
【００９６】
また、本実施形態によると、線像形成レンズ４は、屈折面と回折面とを有し、光源１側の面が屈折面であり、ポリゴンミラー５側の面が回折面である。これにより、散乱光・反射光・不要次数の回折光が光源に戻るのを抑制している。仮に、回折面が光源１側に設けられていると、入射光束の光軸に対して垂直な入射面を有することになるので、入射光束が入射面で強い反射を起こし、それが光源に戻り、干渉を誘発するおそれがある。
【００９７】
また、本実施形態によると、光源１が複数の発光部を有しているため、同時に複数の走査が可能となる。従って、高コスト化を招くことなく、安定した高密度の光走査が可能となる。
【００９８】
また、本実施形態によると、部品点数を増加させることなく高安定な光走査装置を実現することができる。そのため、光走査装置の生産に関わる材料の使用量を増やす必要がなく、その結果として資源採掘量及びプラスチックゴミ排出量に関して環境負荷の増大を抑制することが可能となる。
【００９９】
また、本実施形態に係るレーザプリンタ５００によると、高コスト化を招くことなく、安定した光走査ができる光走査装置９００を備えているため、結果として高コスト化を招くことなく、高品質の画像を安定して形成することが可能となる。
【０１００】
また、本実施形態によると、光源１が複数の発光部を有しているため、同時に複数の走査が可能となり、画像形成の高速化を図ることができる。
【０１０１】
なお、上記実施形態では、線像形成レンズ４は、環境温度の変動に対する補償機能を有さない場合について説明したが、例えば、他の光学系での温度補償が十分でないときに、一例として図１１に示されるように、線像形成レンズ４の入射面の形状を主走査方向に対応する方向に関して凹面形状とし、温度補償機能を付加しても良い。この場合には、入射面はシリンドリカル面に凹面が加わったいわゆるトーリック面となる。また、前記線像形成レンズ４に代えて、凸面レンズと凹面レンズを組み合わせ、温度補償機能を付加しても良い。
【０１０２】
また、上記実施形態では、Ｍ方向に関して両端に位置する２つの発光部の間隔よりも、Ｓ方向に関して両端に位置する２つの発光部の間隔のほうが小さい場合について説明したが、反対に、一例として図１２に示されるように、Ｓ方向に関して両端に位置する２つの発光部の間隔よりも、Ｍ方向に関して両端に位置する２つの発光部の間隔のほうが小さくても良い。なお、この場合に、Ｓ方向に関する波長偏差がＭ方向に関する波長偏差よりも大きいときは、前記線像形成レンズ４に代えて、副走査方向に対応する方向に略平行な直線状の溝が形成された回折面を有する線像形成レンズが用いられる。
【０１０３】
また、上記実施形態では、走査光学系の走査レンズが２つの場合について説明したが、本発明がこれに限定されるものではなく、走査光学系の走査レンズが１つであっても良いし、走査レンズが３つ以上であっても良い。
【０１０４】
また、上記実施形態では、線像形成レンズ４が、波長偏差が大きい方向に延びる直線状の溝が形成された回折面を有する場合について説明したが、これに限定されるものではない。光源１とポリゴンミラー５との間の光路上に配置される光学系が、波長偏差が大きい方向に延びる直線状の溝が形成された回折面を有していれば良い。なお、一般的には、偏向器前光学系に含まれるカップリング光学系の誤差はその倍率により最も大きく被走査面上のビームスポットに影響する。そこで、カップリング光学系の誤差が大きいときには、カップリングされた後の光束が回折面に入射するのが好ましい。
【０１０５】
また、上記実施形態では、感光体ドラム５１１から転写紙へのトナー画像の転写が、感光体ドラム５１１から転写紙へ直接的に行われる直接転写方式の場合について説明したが、感光体ドラム５１１から一旦中間転写ベルト等の中間転写媒体に転写した後、この中間転写媒体から転写紙へ転写する中間転写方式であっても良い。
【０１０６】
また、上記実施形態では、像担持体がドラム状の場合について説明したが、これに限らず、シート状やベルト状であっても良い。例えば、シート状の光導電性の感光体として酸化亜鉛紙を用いても良い。
【０１０７】
なお、上記実施形態では、画像形成装置としてレーザプリンタ５００の場合について説明したが、これに限定されるものではなく、例えば、光プロッタやデジタル複写装置であっても良い。
【０１０８】
また、像担持体として銀塩フィルムを用いた画像形成装置であっても良い。この場合には、光走査により銀塩フィルム上に潜像が形成され、この潜像は通常の銀塩写真プロセスにおける現像処理と同等の処理で可視化することができる。そして、通常の銀塩写真プロセスにおける焼付け処理と同等の処理で転写対象物としての印画紙に転写することができる。このような画像形成装置は光製版装置や、ＣＴスキャン画像等を描画する光描画装置として実施できる。
【０１０９】
また、像担持体としてビームスポットの熱エネルギにより発色する発色媒体（ポジの印画紙）を用いた画像形成装置であっても良い。この場合には、光走査により可視画像を直接、像担持体に形成することができる。
【０１１０】
要するに、上記光走査装置９００を備えた画像形成装置であれば、結果として高コスト化を招くことなく、高品質の画像を安定して形成することが可能となる。
【０１１１】
また、カラー画像を形成する画像形成装置であっても、カラー画像に対応した光走査装置を用いることにより、高コスト化を招くことなく、高品質の画像を安定して形成することが可能となる。
【０１１２】
一例として、カラー画像を形成することができるタンデムカラー機が図１３に示されている。このタンデムカラー機は、ブラック用の感光体ドラムＫ１、帯電器Ｋ２、現像器Ｋ４、クリーニング手段Ｋ５、及び転写用帯電手段Ｋ６と、シアン用の感光体ドラムＣ１、帯電器Ｃ２、現像器Ｃ４、クリーニング手段Ｃ５、及び転写用帯電手段Ｃ６と、マゼンタ用の感光体ドラムＭ１、帯電器Ｍ２、現像器Ｍ４、クリーニング手段Ｍ５、及び転写用帯電手段Ｍ６と、イエロー用の感光体ドラムＹ１、帯電器Ｙ２、現像器Ｙ４、クリーニング手段Ｙ５、及び転写用帯電手段Ｙ６と、光走査装置９００Ａと、転写ベルト８０と、定着手段３０などを備えている。
【０１１３】
光走査装置９００Ａは、前記光走査装置９００の偏向器前光学系と同様の偏向器前光学系を有している。
【０１１４】
各感光体ドラムの周囲に、感光体ドラムの回転方向（図１３中の矢印の方向）に沿って、対応する帯電器、現像器、転写用帯電手段、及びクリーニング手段がそれぞれ配置されている。各帯電器は、対応する感光体ドラムの表面を均一に帯電する。この帯電器によって帯電された感光体ドラム表面に光走査装置９００Ａにより光束が照射され、感光体ドラムに静電潜像が形成されるようになっている。そして、対応する現像器により感光体ドラム表面にトナー像が形成される。さらに、対応する転写用帯電手段により、記録紙に各色のトナー像が転写され、最終的に定着手段３０により記録紙に画像が定着される。すなわち、各色のトナー画像を同一のシート状記録媒体に転写・定着して合成的にカラー画像や多色画像を得ることができる。
【０１１５】
例えば、光走査装置９００Ａが、ブラック用の光源（光源Ｋ）とシアン用の光源（光源Ｃ）とマゼンタ用の光源（光源Ｍ）とイエロー用の光源（光源Ｙ）を有する場合に、ポリゴンミラーを各色で共通としても良い。これにより、比較的高価なポリゴンミラーの数が減少し、低コスト化を促進することができる。また、ポリゴンミラーは光走査装置における最大の発熱源であるため、ポリゴンミラーの数の減少により光走査装置の温度上昇を抑制することができる。そして、光走査装置の温度上昇が抑制されることにより、面発光レーザにおける望まないモードホップを低減することができる。この場合に、光走査装置の構成としては、各色の光束がポリゴンミラーの回転軸を含む副走査断面に対して略対称に入射する方式（いわゆる「対向走査方式」）や、各色の光束がポリゴンミラーの同一反射面によって偏向される方式（いわゆる「片側走査方式」）などがある。
【０１１６】
偏向反射面を２段有するポリゴンミラー５を用いた対向走査方式の構成例が図１４に示されている。ここでは、光源Ｋからの光束及び光源Ｙからの光束は、それぞれ上段の偏向反射面で偏向され、光源Ｃからの光束及び光源Ｍからの光束は、それぞれ下段の偏向反射面で偏向されている。なお、図１４における符号６Ｋはブラック用の走査レンズであり、符号６Ｃはシアン用の走査レンズであり、符号６Ｍはマゼンタ用の走査レンズであり、符号６Ｙはイエロー用の走査レンズである。
【０１１７】
また、上記走査方式は、光源からの光束がポリゴンミラーの偏向反射面の法線に平行に入射する形態に限られない。ポリゴンミラーの偏向反射面の法線に対し角度を持って光源からの光束が入射しても良い。本明細書ではこの方式を「斜入射方式」と呼ぶこととする。図１５には、対向走査方式で斜入射方式の構成例が示されている。ここでは、光源Ｋからの光束はポリゴンミラー５で偏向され、走査レンズ６ａ１と６ｂＫを介して感光体ドラムＫ１上に集光される。光源Ｃからの光束はポリゴンミラー５で偏向され、走査レンズ６ａ１と６ｂＣを介して感光体ドラムＣ１上に集光される。光源Ｍからの光束はポリゴンミラー５で偏向され、走査レンズ６ａ２と６ｂＭを介して感光体ドラムＭ１上に集光される。光源Ｙからの光束はポリゴンミラー５で偏向され、走査レンズ６ａ２と６ｂＹを介して感光体ドラムＹ１上に集光される。斜入射方式の利点は、偏向反射面が１段のポリゴンミラーで４つの光源からの光束の偏向が可能であるため、更に低コスト化を図ることができる。但し、斜入射方式を適用する場合には、走査線の曲がりと波面収差の劣化が生じるため、斜入射方式に対応した走査レンズを用いる必要がある。
【産業上の利用可能性】
【０１１８】
以上説明したように、本発明の光走査装置によれば、高コスト化を招くことなく、安定して光走査を行うのに適している。また、本発明の画像形成装置によれば、高コスト化を招くことなく、高品質の画像を安定して形成するのに適している。
【図面の簡単な説明】
【０１１９】
【図１】本発明の一実施形態に係るレーザプリンタの概略構成を説明するための図である。
【図２】図１における光走査装置の概略構成を示す斜視図である。
【図３】図２における光源のＶＣＳＥＬアレイを説明するための図である。
【図４】図２における線像形成レンズの射出面を説明するための図である。
【図５】図２における線像形成レンズの入射面を説明するための図である。
【図６】回折面を説明するための図（その１）である。
【図７】回折面を説明するための図（その２）である。
【図８】図２の光走査装置における主要部の位置関係を説明するための図である。
【図９】回折面を成形するための金型（あるいは金駒）の製作方法を説明するための図である。
【図１０】回折面を成形するための金型（あるいは金駒）の製作方法（比較例）を説明するための図である。
【図１１】図２における線像形成レンズの入射面の変形例を説明するための図である。
【図１２】図２における光源のＶＣＳＥＬアレイの変形例を説明するための図である。
【図１３】タンデムカラー機の概略構成を説明するための図である。
【図１４】図１３における光走査装置の構成例１を説明するための図である。
【図１５】図１３における光走査装置の構成例２を説明するための図である。
【符号の説明】
【０１２０】
１…光源、２…カップリングレンズ（第１光学系）、３…開口板、４…線像形成レンズ（第２光学系）、５…ポリゴンミラー（偏向器）、６ａ…走査レンズ（走査光学系の一部）、６ｂ…走査レンズ（走査光学系の一部）、５００…レーザプリンタ（画像形成装置）、５１１…感光体ドラム（像担持体）、９００…光走査装置、９００Ａ…光走査装置、Ｋ１，Ｃ１，Ｍ１，Ｙ１…感光体ドラム（像担持体）。
【図１】
2008262053.tif 000012
【図２】
2008262053.tif 000013
【図３】
2008262053.tif 000014
【図６】
2008262053.tif 000015
【図７】
2008262053.tif 000016
【図８】
2008262053.tif 000017
【図１２】
2008262053.tif 000018
【図１３】
2008262053.tif 000019
【図１４】
2008262053.tif 000020
【図１５】
2008262053.tif 000021
【図４】
2008262053.tif 000022
【図５】
2008262053.tif 000023
【図９】
2008262053.tif 000024
【図１０】
2008262053.tif 000025
【図１１】
2008262053.tif 000026